(57)【要約】【課題】上から平坦面を有するパフで軽く叩くように押し下げるという使用法に適したゲル状化粧料容器を提供すること。【解決手段】ゲル状化粧料を収納する容器本体、前記容器の内壁に沿って設けられた弾性部材、前記容器上面形状に対応した保持枠にメッシュを保持し、化粧料表面上に設けられたメッシュ部材、および前記容器の蓋部を備える化粧料容器であって、  前記弾性部材の上には前記メッシュ部材の保持枠が載置され、前記メッシュは弾性を有し、かつパフの塗布面で、前記メッシュ部材を押し下げたときに、まず前記メッシュが撓み、次いで前記メッシュ枠を介してして力が前記弾性部材に伝わることで、当該弾性部材も撓むように構成してなることを特徴とするゲル状化粧料容器。【選択図】図２
2015188573.tif 000002
【特許請求の範囲】
【請求項１】
ゲル状化粧料を収納する容器本体、
前記容器の内壁に沿って設けられた弾性部材、
前記容器上面形状に対応した保持枠にメッシュを保持し、化粧料表面上に設けられた    メッシュ部材、および
前記容器の蓋部
を備える化粧料容器であって、
前記弾性部材の上には前記メッシュ部材の保持枠が載置され、
前記メッシュは弾性を有し、
かつ
パフの塗布面で、前記メッシュ部材を押し下げたときに、まず前記メッシュが撓み、次  いで前記メッシュ保持枠を介して力が前記弾性部材に伝わることで、当該弾性部材も撓  むように構成してなること
を特徴とするゲル状化粧料容器。
【請求項２】
更に、側面に蛇腹構造を有する中皿を前記容器本体の内側に設置し、当該中皿がそのフランジ部において前記メッシュ部材の保持枠で保持されている請求項１記載のゲル状化粧料容器。
【請求項３】
前記メッシュ目開きが、０.３ｍｍないし５ｍｍである請求項１または２記載のゲル状化粧料容器。
【請求項４】
前記メッシュが、ポリエステル、ポリウレタン、ナイロンおよび絹よりなる群から選ばれた材料で構成されるものである請求項１ないし３の何れかの項記載のゲル状化粧料容器。
【請求項５】
前記弾性部材が、高分子樹脂発泡材料、バネ状物の何れかである請求項１ないし４の何れかの項記載のゲル状化粧料容器。
【請求項６】
前記容器本体の底部が、中央から周囲に向かって順次高くなるように構成される請求項１ないし５の何れかの項記載のゲル状化粧料容器。
【請求項７】
前記容器本体の平面的形状が、円、楕円、四角形または多角形である請求項１ないし６の何れかの項記載のゲル状化粧料容器。
【発明の詳細な説明】
【技術分野】
【０００１】
本発明は、ゲル状化粧料容器に関し、更に詳細には、平坦またはこれに近い塗布面を有するパフで、ゲル状の化粧料組成物を均一に取ることのできるゲル状化粧料容器に関する。
【背景技術】
【０００２】
近年は、需要者の要望に応じて、種々の化粧料が提供されており、これを収納する容器も、化粧料の使用形態や、その形状に応じたものが使用されている。
【０００３】
本発明者は最近、新たな化粧品形態として、通常の状態では流動性のないゲル状であるが、上部からパフで軽く叩くように押下げることで表面が崩れてリキッド状となり、パフの塗布面に均一に付着し、化粧に使用できるゲル状化粧料を開発した。
【０００４】
しかしこの化粧料は、従来の、例えば粉末状化粧料や固形化粧料とパフの使用方法が異なるため、これらの容器を転用するには無理があった。すなわち、特許文献１や特許文献２の粉末化粧料の容器は、通常、化粧料表面に設けられたメッシュ状物の上から面積の大きなパフでこすり取るものであるため、上から軽く叩くように押し下げるという使用法には、全く適していなかった。
【先行技術文献】
【特許文献】
【０００５】
【特許文献１】特開平１１−２４４０３８
【特許文献２】特開平１０−３１３９３６
【発明の概要】
【発明が解決しようとする課題】
【０００６】
本発明は、上記実情に鑑みなされたものであり、塗布面を有するパフで、上から軽く叩くように押し下げるという使用法に適したゲル状化粧料容器の提供をその課題とするものである。
【課題を解決するための手段】
【０００７】
本発明者は、平坦や、ほぼこれに近い塗布面を有するパフで軽く押し下げることによっても、最初から使い切るまでほぼ同様に使用でき、パフ上に均一に化粧料が付着することを可能とするゲル状化粧料容器について検討、試作を重ねた。そしてその結果、当該容器において取り付けたメッシュに特徴のある撓み方ができるようにすれば、最初から使い切るまでの間、ほぼ同様な使用感で使用できること、また、このメッシュ枠の下側に、蛇腹構造を有する中皿を設置することで、より使いやすさが向上することを見出し、本発明を完成した。
【０００８】
すなわち本発明は、
ゲル状化粧料を収納する容器本体、
前記容器の内壁に沿って設けられた弾性部材、
前記容器上面形状に対応した保持枠にメッシュを保持し、化粧料表面上に設けられた    メッシュ部材、および
前記容器の蓋部
を備える化粧料容器であって、
前記弾性部材の上には前記メッシュ部材の保持枠が載置され、
前記メッシュは弾性を有し、
かつ
パフの塗布面で、前記メッシュ部材を押し下げたときに、まず前記メッシュが撓み、次  いで前記メッシュ保持枠を介して力が前記弾性部材に伝わることで、当該弾性部材も撓  むように構成してなること
を特徴とするゲル状化粧料容器である。
【０００９】
また本発明は、更に、側面に蛇腹構造を有する中皿を前記容器本体の内側に設置し、当該中皿がそのフランジ部において前記メッシュ部材の保持枠で保持されている上記ゲル状化粧料容器である。
【発明の効果】
【００１０】
本発明のゲル状化粧料容器は、平坦あるいはこれに近い塗布面を有するパフで化粧料表面上に設けられたメッシュ部材を押下げた時に、メッシュの弾性により、パフの塗布面が化粧料表面に広い面積で接することができ、塗布面の表面に均一にリキッド状に変化したゲル状化粧料を取ることができる。
【００１１】
そして、内容物であるゲル状化粧料が少なくなったときでも、メッシュ部材を押下げた時に、まず、メッシュが撓み、次いでメッシュ部材の保持枠を介しての力により、弾性部材が圧縮されて撓み、パフの塗布面が化粧料表面に接するので、初期状態と同じようにゲル状化粧料をリキッド状として取ることができる。
【００１２】
従って、本発明のゲル状化粧料容器は、塗布面を有するパフで、軽く叩くように押し下げることによりリキッド化するという新しいタイプのゲル状化粧料の容器として優れたものである。
【図面の簡単な説明】
【００１３】
【図１】本発明ゲル状化粧料容器の一態様についての、蓋を取り去った状態の平面図である。
【図２】図１のゲル状化粧料容器の、部分縦断面図である。
【図３】本発明の別の態様のゲル状化粧料容器の部分縦断面図である。
【図４】図３のゲル状化粧料容器で使用される中皿の側面図である。
【図５】本発明のゲル状化粧料容器において使用されるパフの一例である。図中、（ａ）は平面図、（ｂ）は側面図、（ｃ）は底面図である。
【図６】本発明のゲル状化粧料容器の使用方法を示す説明図である。
【図７】本発明のゲル状化粧料容器のメッシュを、パフで押し下げた時のメッシュおよび弾性部材の動きを模式的に示した図面である。図中、（ａ）は、押し下げる前の状態、（ｂ）は、押し下げる途中の状態、（ｃ）は、完全に押し下げた後の状態を示す。
【発明を実施するための形態】
【００１４】
以下、本発明のゲル状化粧料容器のいくつかの態様を示す図面を挙げ、更に詳しく説明する。
【００１５】
図１は、本発明ゲル状化粧料容器の一態様について、蓋を取り去った状態を示す平面図であり、図２は、その部分断面図である。図中、１はゲル状化粧料容器、２は容器本体、３は蓋、４はメッシュ部材、５は弾性部材、６は鍔部、７は係止突起、８は弾性部材収納部、９は底部堤状構造をそれぞれ示し、Ａはゲル状化粧料を示す。
【００１６】
上記態様のゲル状化粧料容器１は、図２に示すように、上部外面に蓋３と螺合させるためのねじ山が切られ、上部内面には、後記するメッシュ部材４を係止するための係止突起７が設けられている。また、この容器の底部は、中央から周囲に向かって、弾性部材５の所まで順次高くなるように底部堤状構造９が形成されており、その後、落ち込んで弾性部材収納部８を構成している。弾性部材５は、この弾性部材収納部８と、係止突起７で係止されるメッシュ部材４により、容器本体２の内周部に保持される。
【００１７】
図１は、本発明のゲル状化粧料容器１の蓋３を取った状態で、上面から見た際の形状、すなわち、その平面的形状を示す。この態様では、円であるが、容器の平面的形状はこれに限らず、楕円、四角形または正多角形とすることもできる。また、容器本体２は、高さに比べ直径が大きな扁平な形状なものが好ましく、その材質は、一般的に化粧料容器として使用されているもの、例えば、プラスチック、ガラスあるいは金属等を使用することができる。なお、容器本体２の底部堤状構造９は、前記したような弾性部材収納部８を形成するという機能だけでなく、充填されたゲル状化粧料Ａを最後まで取りやすくするという機能も有する。
【００１８】
容器本体２に充填されたゲル状化粧料Ａの上部に設置されるメッシュ部材４は、メッシュ４ａと保持枠４ｂより構成される。このうち、メッシュ４ａは、弾性のある繊維、例えば、１０〜１００デニール程度の、ポリエステル、ポリウレタン、ナイロン、レーヨン、絹等で形成されたシートであり、その目開きは、０.３ｍｍないし５ｍｍ程度が好ましい。一方、このメッシュ４ａを保持する保持枠４ｂは、その平面形状が容器本体２の平面形状とほぼ同一で、その中央開口部にメッシュ４ａを取り付けたものであり、容器本体２とは結合されておらず、上側の鍔部６により容器本体２の係止突起７で係止されている。この保持枠４ｂは、後記弾性部材５を押し下げるのに十分な強度を有するものである。
【００１９】
保持枠４ｂに対するメッシュ４ａの取り付けは、接着剤等で接着しても、また、両者を熱溶融により一体化したものであっても良い。このメッシュ部材４の保持枠４ｂは、その上面が平らであっても良いが、パフから落ちた化粧料がメッシュ４ａに戻りやすくするため、内側に向かうテーパーを設けても良い。
【００２０】
図１の容器本体２内において、弾性部材５は、前記したように弾性部材収納部８と、メッシュ部材４により容器本体２の内周部に保持される。この弾性部材５は、パフがメッシュ４ａを押す際に、これと連動して下に押し下げられる保持枠４ｂにより弾性圧縮されるものであり、使用状態において、メッシュ４ａよりも大きな弾性を有するものである。
【００２１】
図１では、弾性部材５として、ポリウレタン、ポリスチレン、ポリプロピレン、シリコーン等の発泡性高分子樹脂材料で形成した円筒状物を用いているが、適度の弾性を有するものであればこれに限らず、プラスチックや金属で形成したコイル型あるいは板バネを用いたバネ状物や、蛇腹構造を有するもの等であっても良い。なお、弾性部材５として、ポリウレタン製の発泡性樹脂を使用する場合は、連続気泡を有し、そのセル数（気泡数）が表面の２５ｍｍあたり５〜８０個程度、密度が２０〜７０ｋｇ／ｍ３程度のものを用いることが好ましい。
【００２２】
最後に、容器本体２を覆う蓋３について説明すると、これは、容器本体上部外面のねじ山と螺着させるためのねじがその内側に形成されている。この蓋３は、密閉度を上げるために、二重構造となっていたり、シーリングが設けられていても良い。
【００２３】
図１では、蓋と容器本体とが分離可能なジャータイプ（クリーム瓶タイプ）を示しているが、これに限らず、蓋と容器本体が、ちょう番部を介して取り付け可能な、コンパクトタイプであっても良い。
【００２４】
次に、本発明の別の態様の本発明ゲル状化粧料容器について説明する。図３は、別の態様の本発明ゲル状化粧料容器の一部断面図であり、図４はこの容器に使用される中皿の側面を示す図である。図中、１ないし９およびＡは前記と同じであり、１０は中皿、１０ａはフランジ部、１０ｂは蛇腹構造をそれぞれ示す。
【００２５】
本態様は、基本的に前述の態様と各部材及びその機能は同じであるが、容器本体２の内側にゲル状化粧料Ａを収納する中皿１０を設置した点において異なる。そして、この中皿１０は、プラスチック等のある程度の弾性があるもので構成され、その上部にフランジ部１０ａ、その側面に蛇腹構造１０ｂを有するものである。この中皿１０のフランジ部１０ａは、図３で示されるように、弾性部材５と保持枠４ｂにより、保持される。この保持は、単なる挟み込みであっても、また、接着、融着等で保持枠４ｂに固着されていても良い。なお、図３では、中皿はフランジ部１０ａを有するが、これに限らず、単に蛇腹構造１０ｂを有する中皿であっても良い。
【００２６】
一方、中皿４の側面に設けられた蛇腹構造１０ｂは、パフに押し下げられた際のメッシュ部材４の下方への移動で弾性部材５が圧縮されたときに、同時に圧縮され、縮むものである。従って、中皿１０が容器本体２内側に設けられても、ゲル状化粧料をパフに取るに当たっては、何ら邪魔にならない。
【００２７】
そして、この態様では、上記したようにゲル状化粧料Ａが中皿１０に充填され、他の部分、例えば弾性部材５に吸着したりすることがないので、経済的であると共に、化粧料容器をきれいな状態で維持でき、さらにリフィル型とすることも可能である。
【００２８】
本発明のゲル状化粧料容器１、あるいはこれに収納される中皿１０に充填されるゲル状化粧料Ａとしては、特に限定があるわけではないが、好ましいものの一例としては、以下の組成を有するものが挙げられる。
【００２９】
成  分                                        （％）
（１）酸化チタン                              ４．０
（２）酸化鉄                                  ０．５
（３）タルク                                  １．０
（４）１，３−ブチレングリコール            １２．０
（５）ミネラルオイル                          ２．０
（６）メトキシケイヒ酸エチルヘキシル          ２．０
（７）ステアリン酸トリエタノールアミン        １．０
（８）セトルテアリルアルコール                ０．５
（９）パラオキシ安息香酸メチル                適  量
（１０）寒天                                    ２．０
（１１）疎水変性ポリエーテルウレタン  ＊１      ０．３
（１２）精製水                                  残  量
＊１：アデカノールＧＴ−７００（ＡＤＥＫＡ（株）製）
【００３０】
上記した組成のゲル状化粧料は、特段力のかからない状態では、流動性のないゲル状物であるが、例えば、塗布面が平坦あるいはこれに近い状態、すなわち単純な平面ではないが、曲率の大きい曲面を有するスポンジなどの弾性材料で形成されたパフで上から軽く叩くように、メッシュ４ａを介してその表面を押し下げるとゲルが崩れてリキッド状となり、これがパフの塗布面に均一に付着するため、皮膚上においても均一に、きれいに塗布できるのである。
【００３１】
なお、本発明のゲル状化粧料容器において、好ましく使用できるパフの例としては、図５に示すような、スポンジパフ２０を挙げることができる。このパフ２０では、上面２１、下面（塗布面）２２、側面２３を有するおおよそだるま状の軸対称形に形成されている。そして、側面２３の中心よりも上面２１側には、他の部分よりも横断面の面積値が小さくなるように絞り込まれたクビレ部２４が形成されており、クビレ部２４と上面２１との間には、拡径方向へ膨出する上胴張り部２５が、さらに、クビレ部２４と下面２２との間には、拡径方向へ膨出する下胴張り部２６がそれぞれ形成されている。
【００３２】
このパフ２０では、前記上面２１と前記下面２２の間に横断面の面積値が最小となるクビレ部２４を有し、当該下面２２は塗布面となる平坦面により構成され、当該下面２２とこれに最も近い下胴張り部２６との間の領域が塗布部と形成するとともに、下面２２が塗布面を形成するものであり、図６に示すようにクビレ部２４をつまむように持ち、このパフ２０の下面２２をメッシュ４ａを介してゲル状化粧料Ａ表面を軽く叩くことで、均一にゲル状化粧料を取ることができるのである。
【００３３】
本発明容器１の特徴は、弾性を有し、撓む部材として、メッシュ４ａと弾性部材５（および必要により中皿１０の蛇腹構造１０ｂ）を利用する点である。すなわち、本発明の化粧料容器１の使用に当たっては、上記パフ２０の塗布面はその形状を維持したままゲル状化粧料Ａの表面に接し、これをリキッド化させ、塗布面の表面に付着させる必要がある。しかしながら、仮に弾性部材５がなく、メッシュ４ａだけで形成されている場合は、上からパフにより圧力をかけても、その弾性によりメッシュ４ａが塗布面の形状を維持しつつ撓む度合いは限られており、この限度を超えて圧力をかけると塗布面の形状が維持できず、均一に化粧料をパフの塗布面に付着させることができない。従って、容器内に充填されるゲル状化粧料Ａの量（充填高さ）は、限られることになる。
【００３４】
これに対し、本発明の容器では、図７で模式的に示すように、例えば、充填されたゲル状化粧料Ａが減ったときであっても、上からパフで力を加えた場合に、まずメッシュ４ａが撓み（図７の（ｂ））、これでゲル状化粧料Ａの表面に達しない場合は、メッシュ４ａの保持枠４ｂを介して弾性部材５に下向きの力がかかる（図７の（ｃ））という２段階の動きを行うため、パフの塗布面を維持しつつ、下に存在するゲル状化粧料Ａの表面に到達することができ、パフの塗布面上に均一にリキッド化した化粧料を塗布することが可能となるのである。これはすなわち、使用状態において、メッシュ４ａは弾性部材５よりも小さな弾性値を有する。
【００３５】
そして、底部に中央から周囲に向かって、弾性部材５の所まで順次高くなるような底部堤状構造９が形成された場合は、使用終了時のゲル状化粧料Ａの残存量を少なくすることができるため、経済的である。
【産業上の利用可能性】
【００３６】
本発明によれば、容器本体２中に充填されるゲル状化粧料Ａの特質と相俟って、従来想定されていなかった、上から軽く叩くように押し下げるという動作でリキッド状になった化粧料を均一に取り、これを塗布するという新しい化粧法を提供することができる。
【００３７】
従って、従来なかった新しい化粧法を支える技術として、化粧料業界において新しい分野を提供することができるものである。
【符号の説明】
【００３８】
１  …  …  ゲル状化粧料容器
２  …  …  容器本体
３  …  …  蓋
４  …  …  メッシュ部材
４ａ  …  メッシュ
４ｂ  …  保持枠
５  …  …  弾性部材
６  …  …  鍔部
７  …  …  係止突起
８  …  …  弾性部材収納部
９  …  …  底部堤状構造
１０  …  …  中皿
１０ａ  …  フランジ部
１０ｂ  …  蛇腹構造
２０  …  …  パフ
２１  …  …  上面
２２  …  …  下面
２３  …  …  側面
２４  …  …  クビレ部
２５  …  …  上胴張り部
２６  …  …  下胴張り部
Ａ  …  …  ゲル状化粧料
【図１】
2015188573.tif 000003
【図２】
2015188573.tif 000004
【図３】
2015188573.tif 000005
【図４】
2015188573.tif 000006
【図５】
2015188573.tif 000007
【図６】
2015188573.tif 000008
【図７】
2015188573.tif 000009